(57)【要約】【課題】減圧吸収に起因した容器肩部の形状変形を防止する。【解決手段】本発明は、内容物を注出する口部につながる肩部と、この肩部からその底壁に至るまでの領域にて内容物の充填空間を形成する胴部からなり、該胴部を容器内に向けて凹とする少なくとも１本の溝によって区画形成された減圧吸収パネルを有する合成樹脂製ボトル型容器において、前記減圧吸収パネルの肩部直下に位置する溝に、この溝に沿いこの溝よりもさらに深い溝深さを有する凹部を設ける。【選択図】　　　　図５
2004142820.tif 000002
【特許請求の範囲】
【請求項１】
内容物を注出する口部につながる肩部と、この肩部からその底壁に至るまでの領域にて内容物の充填空間を形成する胴部からなり、
該胴部を容器内に向けて凹とする少なくとも１本の溝によって区画形成した減圧吸収パネルを有する合成樹脂製ボトル型容器であって、
前記減圧吸収パネルの肩部直下に位置する溝に、この溝に沿いこの溝よりもさらに深い溝深さを有する凹部を設けたことを特徴とする合成樹脂製ボトル型容器。
【請求項２】
凹部は溝と同等の幅を有する請求項１記載のボトル型容器。
【請求項３】
凹部は外側壁からその溝底に向けて傾斜させた引け防止用の傾斜面を有する請求項１又は２記載のボトル型容器。
【発明の詳細な説明】
【０００１】
【発明の属する技術分野】
本発明は、ポリエチレンテレフタレート等の合成樹脂を二軸延伸ブロー成形することによって製造される合成樹脂製ボトル型容器に関するもので、容器内の形状変形、とくに減圧吸収パネルの変位に由来した容器肩部の変形をより有利に回避しようとするものである。
【０００２】
【従来の技術】
ペットボトルに代表されるような合成樹脂製の容器は、軽量で取り扱いが容易であること、また、透明性を確保できガラス製の容器に比較して遜色のない外観を呈すること、さらに、コスト的にも安価であることから、近年、飲料や調味料、酒類、洗剤あるいは薬剤等を充填する容器として多用されている。
【０００３】
また、この種の容器は、高温殺菌等を施した比較的温度の高い内容物を冷却することなしに直接容器に充填することができるように耐熱性の改善も図られるようになってきている。
【０００４】
とくに、耐熱性の改善を図られた容器は、内容物が常温まで冷却される際の減圧効果によって容器の形状変形が不可避であることから、それを防ぐべく、容器の胴部には容器の内側に向けて凹とする少なくとも１本の溝によって区画形成した減圧吸収パネルが設けられている。
【０００５】
ところで、減圧吸収パネルを備えた容器、とくに角型の容器は、その区画形成位置が容器の肩部に近接して設けられている場合に、減圧吸収によりパネルが変位する際にそれに引きずられて該肩部が局所的に凹むことがあり、このような凹みが生じた容器は、商品として出荷することができず製品歩留りが低下する原因になっていた。
【０００６】
合成樹脂製のブロー成形容器はその肩部が、もともと、肉厚が薄くなり易いうえ胴部のように十分は伸延倍率を付与するのが困難であり強度的には不十分な箇所であり、この点に関しては、容器の肩部に段部を設け、そこから胴部に至るまでを三角形のパネルからなる多面体を適用したブロー成形容器が知られている（例えば、特許文献１参照）が、近年特に顕著になってきた容器の軽量化に基づく肩部肉厚の薄肉化に伴い、また、容器の充填容量が１．５リットルにも及ぶような大型サイズの容器を対象とするものでは、パネルの減圧吸収量も大きくなるので、その影響をさらに受け易くなり従来手法を単に適用するだけでは十分とはいえないのが現状であった。
【０００７】
【特許文献１】
特開平６−１２７５４２号公報。
【０００８】
【発明が解決しようとする課題】
本発明の課題は、減圧吸収パネルの変位に由来した容器肩部の変形を回避できる新規な合成樹脂製ボトル型容器を提案するところにある。
【０００９】
【課題を解決するための手段】
本発明は、内容物を注出する口部につながる肩部と、この肩部からその底壁に至るまでの領域にて内容物の充填空間を形成する胴部からなり、
該胴部を容器内に向けて凹とする少なくとも１本の溝によって区画形成された減圧吸収パネルを有する合成樹脂製ボトル型容器であって、
前記減圧吸収パネルの肩部直下に位置する溝に、この溝に沿いこの溝よりもさらに深い溝深さを有する凹部を設けたことを特徴とする合成樹脂製ボトル型容器である。
【００１０】
上記の凹部は溝と同等の幅を有するものが好ましい。
【００１１】
また、凹部は外側壁からその溝底に向けて傾斜した引け防止用の傾斜面を有するものとする。
【００１２】
【発明の実施の形態】
以下、図面を用いて本発明をより具体的に説明する。
【００１３】
図１〜図４は本発明の実施の形態を角型断面を有するウエスト付きのボトル型容器として示した図であり、図１はその正面図、図２は側面図、図３は平面図そして図４は底面図である。
【００１４】
図１〜４において番号１は内容物を注出する口部、２は口部につながる肩部、３は肩部２から容器の底壁に至るまでの領域にて内容物の充填空間を形成する胴部であり、この胴部３は対向配置になる一対の長辺壁３ａと同じく対向配置になる一対の短辺壁３ｂ及びこられの壁３ａ、３ｂをつなぎ容器の座屈強度を高める４つのコーナ壁３ｃを一体的に成形した角型断面を有している。
【００１５】
また、４は胴部３を上下で２分する補強用のウエスト部、５は長辺壁３ａの上部に設けられた減圧吸収パネル、６は長辺壁３ａの下部に設けられた減圧吸収パネル、７は短辺壁３ｂの上部に設けられた減圧吸収パネル、８は短辺壁３ｂの下部に設けられた減圧吸収パネルである。こられのパネル５〜８はその断面を図５（ａ）（ｂ）（ｃ）〜図８（ａ）（ｂ）（ｃ）に示すように胴部３を容器内に向けて凹とする溝ｍによって区画形成されていて、容器内の減圧時に各パネルが容器の内側に向けて変位することで容器の形状変形を防止するようになっている。
【００１６】
また、９は減圧吸収パネル５の上端溝ｍ（肩部直下に位置する溝）に沿いこの溝ｍよりもさらに深い溝深さｔ（図５（ｂ）参照）を有する凹部である。
【００１７】
図９は上掲図１〜４に示した容器と同様の断面形状を有する角形容器を示したものである。この種の容器は、とくに長辺壁側は面積が大きいのでその肩部は減圧吸収によるパネルの変位に伴って局所的に凹部が形成される変形が生じ易く製品歩留りの低下原因になっていたが、本発明に従う容器は、減圧吸収パネル５の上端溝ｍにその溝よりも深い溝深さｔを有する凹部９が設けられているためその部位の剛性が高められ肩部２が簡単に変形するようなことはなくなる。
【００１８】
凹部９の幅は、容器の成形性を考慮して減圧吸収パネルを区画形成する溝と同等の幅とする。
【００１９】
凹部９の溝深さｔやその長さに関しては、容器のサイズと減圧吸収パネルの機能を損なわない範囲で適宜に変更される。
【００２０】
図１０は本発明に従う容器の他の実施の形態を示したものである。
容器のブロー成形に際して凹部９を形作る際、凹部９の溝深さｔや幅によっては、柱壁３ｃの部位で引けが生じることも懸念される。
【００２１】
このため、凹部９の外側壁９ａからその溝底に向けて傾斜する傾斜面Ｓを設けてブロー成形の際の引けの防止を図る。
【００２２】
容量が１．５リットルになる上掲図１〜５に示した容器（樹脂使用量５５ｇ、減圧吸収パネルを区画形成する溝の溝深さ１．５ｍｍ、溝幅７ｍｍ、凹部９の溝深さ４．５ｍｍ、溝幅７ｍｍ）と、同等の容量になる図９に示した容器（樹脂使用量５５ｇ　、減圧吸収パネルを区画形成する溝の溝深さ１．５ｍｍ、溝幅７ｍｍ）につき、容器内を減圧した場合における減圧強度（容器内を減圧した場合において変形が生じる圧力）について調査した。
【００２３】
その結果、図９の容器は４１ｍｍＨｇで肩部が変形したのに対して本発明に従う容器は５５ｍｍＨｇまでは肩部が変形することがなく、減圧強度が格段に上昇することが確認された。
【００２４】
本発明の実施の形態では、角形断面を有する容器を例にして説明したが、本発明はこれにのみ限定されるものではなく、円形断面や多角形断面を有する容器にも適宜に適用される。また、容器の充填容量についても特設の制限はなく、減圧吸収パネルを備える容器であれば２００ミリリットルや３００ミリリットル程度の小型容器から１．５リットルを超える大型容器までの各種サイズの容器に適用することが可能である。
【００２５】
【発明の効果】
本発明によれば、減圧吸収に伴う容器肩部の変形を確実に防止でき、製品歩留りの改善が可能になる。
【図面の簡単な説明】
【図１】本発明に従う容器の実施の形態を示した図である。
【図２】図１の側面を示した図である。
【図３】図１の平面を示した図である。
【図４】図１の底面を示した図である。
【図５】（ａ）〜（ｃ）は減圧吸収パネル５の正面、縦断面及び横断面を示した図である。
【図６】（ａ）〜（ｃ）は減圧吸収パネル６の正面、縦断面及び横断面を示した図である。
【図７】（ａ）〜（ｃ）は減圧吸収パネル７の正面、縦断面及び横断面を示した図である。
【図８】（ａ）〜（ｃ）は減圧吸収パネル８の正面、縦断面及び横断面を示した図である。
【図９】一般的な容器の外観を示した図である。
【図１０】本発明に従う容器の他の実施の形態を示した図である。
【符号の説明】
１　口部
２　肩部
３　胴部
３ａ　長辺壁
３ｂ　短辺壁
３ｃ　柱壁
４　ウエスト部
５　減圧吸収パネル
６　減圧吸収パネル
７　減圧吸収パネル
８　減圧吸収パネル
９　凹部
９ａ　外側壁
【図１】
2004142820.tif 000003
【図２】
2004142820.tif 000004
【図３】
2004142820.tif 000005
【図４】
2004142820.tif 000006
【図５】
2004142820.tif 000007
【図６】
2004142820.tif 000008
【図７】
2004142820.tif 000009
【図８】
2004142820.tif 000010
【図９】
2004142820.tif 000011
【図１０】
2004142820.tif 000012